(57)【要約】【課題】  商品を内包したカプセルが選択された後に、利用者が当該選択された商品を視認することができないため、しばしば同一商品を払いだしてその購買意欲を失わせることがある。【解決手段】  カプセルが選択された後であって、払いだされる前にカプセル保持部に保持された商品を透光性の窓部を介して利用者が当該カプセルを視認することができるようにし、利用者が必要とするときにカプセルを払出して取り出し、必要としないときは、他のカプセルを選択できる機会が与えられるようにした。  【選択図】  図４
2007025856.tif 000002
【特許請求の範囲】
【請求項１】
商品を内包した複数のカプセルを収納するカプセル収納部と、
所定価値の投入を条件として利用者により操作可能とした操作手段と、
前記複数のカプセルの内から選択された選択カプセルをカプセル保持部に移動する移動手段と、
前記カプセル保持部に保持された選択カプセルが内包する商品を外部から視認可能とした窓部と、
前記カプセル保持部に保持された選択カプセルを、排出動作により排出する排出手段と、
前記排出手段から選択カプセルを受け取り、開口動作により外部への取出しを可能とするカプセル払出手段と、
前記カプセル払出手段の開口動作と前記排出手段の排出動作とを連動する連動機構と、を有するカプセル払出装置であって、
前記カプセル払出手段の開口動作により、前記カプセル保持部に保持された選択カプセルが前記カプセル払出手段へ排出されて外部への取出しが可能となり、追加価値の投入により、前記カプセル保持部に保持された選択カプセルの払出動作が行われず、前記操作手段の操作が可能となるカプセル払出装置。
【請求項２】
前記追加価値は前記所定価値よりも小さい価値である請求項１に記載のカプセル払出装置。
【請求項３】
前記排出手段は、払出扉と前記払出扉を回転自在に支持する回転軸を備えるとともに前記カプセル払出手段の上部に配設されており、前記カプセル払出手段の開口動作により前記払出扉が下方に開口動作を行い、前記選択カプセルが前記カプセル払出手段へ排出される請求項１又は請求項２に記載のカプセル払出装置。
【請求項４】
価値を投入するための価値投入口と価値投入を規制する投入規制手段を更に備え、
前記カプセル払出手段の開口動作が行われたときは、前記投入規制手段により前記価値投入口からの追加価値の投入を規制する請求項１〜３のいずれか１項に記載のカプセル払出装置。
【請求項５】
前記操作手段は利用者による操作を規制する操作規制手段を備え、前記追加価値の投入を条件として前記操作規制手段の規制を解除して前記操作手段の操作を可能とする請求項１〜４のいずれか1項に記載のカプセル払出装置。
【請求項６】
価値を投入するための第一価値投入口と第二価値投入口とを有し、
前記第一価値投入口には価値投入を規制する第一投入規制手段と、前記第二価値投入口には価値投入を規制する第二投入規制手段とを備え、
前記第一価値投入口への前記所定価値の投入を条件に前記操作手段の操作が可能となり、
前記操作手段の操作を条件に前記第一投入規制手段及び第二投入規制手段により前記第一価値投入口及び第二価値投入口への価値投入が規制され、
前記選択カプセルの前記保持部への移動により、前記第二投入規制手段による価値投入の規制が解除されて前記第二価値投入口への追加価値の投入を可能とする請求項１〜５のいずれか1項に記載のカプセル払出装置。
【発明の詳細な説明】
【技術分野】
【０００１】
本発明は、商品が入ったカプセルを払出すカプセル払出装置に関する。
【背景技術】
【０００２】
従来より、通称ガチャガチャと呼ばれるカプセル払出装置が知られている（たとえば、
特許文献１参照。）。このカプセル払出装置は、数種類の異なる商品を１つずつ内包した複数個のカプセルを収納したカプセル収納部と、利用者が所定の金銭を投入することにより操作可能な状態になる操作手段と、利用者によりこの操作手段が操作されると、その操作に連動してカプセル収納部に収納している複数個のカプセルの中から１個のカプセルを外部へ払出すカプセル払出部とを備えている。
また、このカプセル払出装置は、カプセル収納部に収容するカプセルを、内部を透視可能な材料により構成することによって、内包している商品がカプセルの外部から視認できるようにすると共に、カプセル収納部も内部を透視可能な材料により構成して、カプセル収納部の外部から内部の商品を視認できるようする一方、カプセル払出部を、内部を透視できない材料により構成するようにしている。
【０００３】
このように構成したカプセル払出装置は、利用者にカプセル収納部内の商品を視認させることで利用者の購買意欲を掻き立て、しかも、カプセルが払出されるまでは、どの商品を購入できたか分からないといったゲーム性を備えている。
このようなゲーム性を備えているため、このカプセル払出装置では、カプセル収納部に、利用者に人気のある商品と、比較的人気のない商品とを均等な個数になるようにして入れておくことが望ましい。
こうすることによって、利用者はカプセル収納部の内部に自分が欲しい商品が入っていることを視認することができ、このカプセル払出装置に対して購買意欲を覚えて商品を購入し、しかも、所望する商品が内包されたカプセルが払出されなかった場合には、次回自分の欲しい商品が内包されたカプセルが払出されるかもしれないという思いに駆られ、再度、このカプセル払出装置で商品を購入しようとするようになる。
【特許文献１】特開２００３−１２３１３５号公報
【発明の開示】
【発明が解決しようとする課題】
【０００４】
ところが、上記従来のカプセル払出装置は、カプセルを払出す際に、そのゲーム性から、カプセル収納部の中から任意に選択された１個のカプセルを視認することができないので、一旦カプセルが選択された後にカプセル払出部から選択されたカプセルを受け取るまでカプセルに内包された商品を知ることができなかった。そのため、しばしば連続して同一種類の商品を内包したカプセルが払出されが、同一の商品が繰り返して払出されると、利用者の購買意欲を失わせてしまうおそれがあった。
また、利用者が必要とする商品が選択されるまで、所定価値を投入しながら繰り返して操作を行うと、利用者の負担が増大して購買意欲を失わせてしまうおそれがあった。
【課題を解決するための手段】
【０００５】
そこで、請求項１に係る本発明においては、商品を内包した複数のカプセルを収納するカプセル収納部と、所定価値の投入を条件として利用者により操作可能とした操作手段と、前記複数のカプセルの内から選択された選択カプセルをカプセル保持部に移動する移動手段と、前記カプセル保持部に保持された選択カプセルが内包する商品を外部から視認可能とした窓部と、前記カプセル保持部に保持された選択カプセルを、排出動作により排出する排出手段と、前記排出手段から選択カプセルを受け取り、開口動作により外部への取出しを可能とするカプセル払出手段と、前記カプセル払出手段の開口動作と前記排出手段の排出動作とを連動する連動機構と、を有するカプセル払出装置であって、前記カプセル払出手段の開口動作により、前記カプセル保持部に保持された選択カプセルが前記カプセル払出手段へ排出されて外部への取出しが可能となり、追加価値の投入により、前記カプセル保持部に保持された選択カプセルの払出動作が行われず、前記操作手段の操作が可能となるカプセル払出装置とした。
【０００６】
請求項２に係る本発明においては、前記追加価値は前記所定価値よりも小さい価値である請求項１に記載のカプセル払出装置とした。
【０００７】
請求項３に係る本発明においては、前記排出手段は、払出扉と前記払出扉を回転自在に支持する回転軸を備えるとともに前記カプセル払出手段の上部に配設されており、前記カプセル払出手段の開口動作により前記払出扉が下方に開口動作を行い、前記選択カプセルが前記カプセル払出手段へ排出される請求項１又は請求項２に記載のカプセル払出装置とした。
【０００８】
請求項４に係る本発明においては、価値を投入するための価値投入口と価値投入を規制する投入規制手段を更に備え、前記カプセル払出手段の開口動作が行われたときは、前記投入規制手段により前記価値投入口からの追加価値の投入を規制する請求項１〜３のいずれか１項に記載のカプセル払出装置とした。
【０００９】
請求項５に係る本発明においては、前記操作手段は利用者による操作を規制する操作規制手段を備え、前記追加価値の投入を条件として前記操作規制手段の規制を解除して前記操作手段の操作を可能とする請求項１〜４のいずれか1項に記載のカプセル払出装置とした。
【００１０】
請求項６に係る本発明においては、価値を投入するための第一価値投入口と第二価値投入口とを有し、前記第一価値投入口には価値投入を規制する第一投入規制手段と、前記第二価値投入口には価値投入を規制する第二投入規制手段とを備え、前記第一価値投入口への前記所定価値の投入を条件に前記操作手段の操作が可能となり、前記操作手段の操作を条件に前記第一投入規制手段及び第二投入規制手段により前記第一価値投入口及び第二価値投入口への価値投入が規制され、前記選択カプセルの前記保持部への移動により、前記第二投入規制手段による価値投入の規制が解除されて前記第二価値投入口への追加価値の投入を可能とする請求項１〜５のいずれか1項に記載のカプセル払出装置とした。
【発明の効果】
【００１１】
本発明に係るカプセル払出装置は、選択された選択商品がカプセル払出手段に払出される直前に利用者がそのカプセルに内包された商品を視認し、利用者が必要とする場合にカプセル払出手段を開口して選択された商品を受け取ることができるので、利用者の要求を満足させることができる。
また、同一の商品が繰り返して選択された場合などの、利用者が必要としない商品が選択された場合には、最初の投入価値よりも少ない価値を投入することにより他の商品を選択する機会が与えられるので、利用者の負担を軽減してその要求を満足させることができ、さらに購買意欲を駆り立てることができる。
【発明を実施するための最良の形態】
【００１２】
本発明に係る実施の形態におけるカプセル払出装置は、数種類の異なる商品を１個ずつ内包した複数個のカプセルを収納したカプセル収納部と、金銭などの所定価値の投入を条件として利用者により操作可能とした操作手段と、利用者により操作手段が操作されると、カプセル収納部に収納している複数個のカプセルのなかの一個のカプセルを払出すカプセル払出手段とを備えている。
【００１３】
さらに、このカプセル払出装置は、カプセルに内包された商品が選択された後に選択されたカプセルがカプセル保持部に移動して保持される。カプセル保持部は外部から保持されたカプセルの中の商品を視認できるように、透光性の窓部を備えている。
【００１４】
さらに、このカプセル払出装置は、カプセル保持部から選択されたカプセルを排出する排出手段と、排出されたカプセルを受け取るカプセル払出手段とを備え、さらにカプセル払出手段の開口動作とカプセル保持部に保持されたカプセルを排出する排出手段の排出動作とを連動させる連動機構を備えている。
【００１５】
そのために、利用者はカプセル保持部に保持されたカプセルに内包された商品を視認し、そのカプセルの入手を希望する場合には、利用者はカプセル払出手段を開口する。この利用者の開口動作に排出手段が連動動作してカプセル保持部に保持されたカプセルがカプセル払出手段に排出され、利用者は外部にカプセルを取出すことができる。また、利用者はカプセル保持部に保持されたカプセルを希望しないときには、追加価値の投入により、操作手段の操作が可能となって次のカプセルを選択することができる機会が与えられる。従って、カプセルに内包された商品を視認した後に必要な場合に取出すことができるので、利用者の要求を満たすことができる。
【００１６】
他の本発明に係る実施の形態においては、追加して投入するコインなどの追加価値を最初に投入する所定価値よりも小さい価値としている。これにより、選択されたカプセルが内包する商品を利用者がすでに所有している場合などは、同じ商品を重複して入手することを回避することができるとともに、少ない価値の投入により他の商品を選択することができる機会が与えられる。そのために、利用者の負担を軽減して希望する商品が得られるという期待感を持つことができ、購買意欲がさらに掻き立てられる。
【００１７】
他の本発明に係る実施の形態におけるカプセル払出装置は、カプセル保持部からカプセル払出手段に選択されたカプセルを排出する排出手段として、回転自在に支持された排出扉を使用する。この排出扉は選択されたカプセルを利用者が取り出すカプセル払出手段の上部に設置されている。そのために、利用者がカプセル払出手段の開口動作を行うと、これと連動して排出扉が下方へ開口し、選択されたカプセルが重力により落下してカプセル払出手段へ投入されることになる。そのために、複雑な機構を構成しないで選択されたカプセルをカプセル保持部からカプセル払出手段へ簡便かつ確実に投入することができる。
【００１８】
他の本発明に係る実施の形態においては、利用者によってカプセル払出手段の開口動作が行われると、これと連動して作動する、コイン等の追加価値の投入を規制する価値投入規制手段を設けている。これにより、利用者による価値の誤投入を防止することができる。更に、利用者によってカプセル払出手段の開口動作が行われず、追加価値の投入が行われると、これに連動して利用者がハンドルなどの操作手段を操作することができるようにした。
【００１９】
更に他の本発明に係る実施の形態におけるカプセル払出装置は、第一価値投入口と第二価値投入口を備え、それぞれ価値投入を規制する第一投入規制手段と第二投入規制手段とを備えている。第一価値投入口へ所定価値が投入されて操作者による操作手段の操作が可能となる。同時に、操作者による価値の誤投入を防止するために、第一価値投入口と第二価値投入口への価値投入が第一投入規制手段及び第二投入規制手段により規制される。そして、利用者による操作によって商品を内包するカプセルが選択されてカプセル保持部に保持される。カプセル保持部にカプセルが保持されると、第二投入規制手段により規制が解除されて第二価値投入口からの価値投入が可能となる。このとき、第一価値投入口は価値投入が制限された状態が維持されている。
【００２０】
利用者はカプセル保持部に保持されたカプセルに内包された商品を視認することができる。そして、利用者がこのカプセルに内包された選択カプセルを必要とするときは、カプセル払出手段を開口することにより、カプセル保持部からカプセル払出手段へカプセルが排出されて外部へ取出すことができる。一方、利用者が当該カプセルを必要としない場合には、第二価値投入口より追加の価値投入を行うことができる。追加の価値が投入されると、操作手段の操作が可能となり、利用者は他の商品を内包するカプセルを選択することができる機会が与えられる。そして、第一価値投入手段は第一投入規制手段により価値投入が制限されているので、利用者が第一価値投入口へ価値を誤投入することが回避される。
【００２１】
第二価値投入口への追加価値を第一価値投入口への投入価値の、例えば１／２に設定しておけば、利用者は費用負担を少なくして目的の商品を入手できたという満足感と、更なる購買意欲が掻き立てられる。
【００２２】
以下、本発明に係るカプセル払出装置の一実施形態について、図面を参照して具体的に説明する。
本実施形態に係るカプセル払出装置１は、図１に示すように、数種類の商品１３（図２参照）をそれぞれ１個ずつ内包した複数個のカプセル２を収納するカプセル収納部３と、このカプセル収納部３に収納している複数個のカプセル２の中から１個のカプセル２を任意に選択して払出すカプセル払出部４とから構成している。
カプセル収納部３は、４側面を内部がプラスチック製の板体により形成したケース５と、このケース５の上面に開閉自在に設けた蓋体６とにより構成している。
なお、ケース５の材料は、プラスチックに限るものではなく、他の材料を使用することができる。また、ガラスなど、ケース５の内部を透視可能な任意の材料を用いて形成してもよい。
【００２３】
カプセル払出部４は、箱型形状をした筐体７により構成しており、その前面に、所定価値としての硬貨を投入する価値投入口である硬貨投入口８と、利用者により操作される操作手段としてのハンドル９と、カプセルが払出される払出扉２６と、窓部１１とを備えている。窓部１１は、透視可能なプラスチック製板体により形成されている。なお、この板体はプラスチックに限るものではなく、ガラス等内部を透視可能な材料であればよい。窓部１１からは、後述するカプセル保持部に保持されたカプセル２に内包している商品１３を視認することができる。
なお、図１中の符号１５は、カプセル払出部４内に詰まった硬貨を返却する際に押圧操作する硬貨返却ボタンであり、符号１６は、返却する硬貨を払出す硬貨返却口である。
また、このカプセル払出装置１のカプセル収納部３に収納しているカプセル２は、図２に示すように、内部を透視可能なプラスチックにより形成した２個の半球体２a、２bの開口部同士をテープ２cにより張り合わせることによって内部に空間を形成した球体であり、この球体内部の空間に商品１３を内包している。
【００２４】
また、このカプセル２は、全体を内部が透視可能な材料により形成することが望ましいが、利用者が外部から内部の商品１３を視認できればよく、カプセル２の一部を内部が透視可能な材料で形成してもよい。
その際、内部が透視可能な部分を形成する材料は、プラスチックに限定するものではなく内部が透視可能な任意の材料を用いることができる。
【００２５】
また、２個の半球体２a、２bによりカプセル２を形成する方法は、テープ２cによる張り合わせに限るものではなく、一方の半球体２aに他方の半球体２bを嵌め込む方法や、一方の半球体２aと他方の半球体２bとを螺嵌する方法など、任意の方法を用いてもよい。
また、このように構成したカプセル２を払出すカプセル払出部４の内部には、図３に示すように、カプセル収納部３の内部に収納している複数個のカプセル２の中から次に払出す予定の１個のカプセル２を任意に選択して、払出すまでの間保持するカプセル移動手段として機能する回転盤１７を備えている。
【００２６】
この回転盤１７は、カプセル２の直径と略同一の厚みを有する円柱体であり、利用者によるハンドル９の回動操作に連動して回転軸１８を中心に所定角度回転するように構成している。なお、この回転盤１７は、回転軸１８と共に回転するものではなく、ハンドル９の回動に連動して動作する図示しない駆動機構により回転するものである。
【００２７】
さらに、この回転盤１７は、回転軸１８から回転盤１７外周方向へ所定距離離間した位置に回転盤１７の上面と下面との間を貫通する円筒形状の貫通孔１９を備えている。この貫通口１９は透視可能な材料により形成されており、プラスチックあるいはガラス等を用いることができる。この貫通孔１９は、その直径がカプセル２の直径よりも若干大きくなるように形成しており、しかも、その深さがカプセル２の直径と略等しくなるように形成している。そのため、この貫通孔１９には、カプセル収納部３の底面近傍に収納されているカプセル２のうちの１個のカプセル２が入り、次に払出されるカプセル２として任意に選択される。
【００２８】
そして、この貫通孔１９に入ったカプセル２は、次に使用者によりハンドル９が回動操作されるまでの間この貫通孔１９の内部に保持されることとなる。
このように構成したカプセル払出装置１は、以下のようにして利用者に商品１３を提供するように構成している。
すなわち、このカプセル払出装置１は、利用者により所定枚数の硬貨が硬貨投入口８に投入されると、ハンドル９を回動可能な状態にする。次に、利用者によりハンドル９が回動されると、その動作に連動して回転盤１７が図３に示す位置から回転軸１８を中心に反時計回りに回転し、これに伴って貫通孔１９と、この貫通孔１９に保持しているカプセル２とが回転軸１８を中心として弧を描くように移動する。
そして、回転盤１７が１８０度回転して、貫通孔１９が窓部１１に対面するカプセル保持部２０の位置まで移動する。カプセルがカプセル保持部２０まで移動すると回転盤１７の回転が規制される。カプセル保持部２０に保持されたカプセル２は窓部１１を通して利用者がカプセル２に内包された商品１３を視認することができる。
【００２９】
図４は、カプセル保持部２０に保持された状態のカプセル払出装置１を示す部分断面図である。回転盤１７の回転動作によってカプセル２はカプセル保持部２０に移動し、排出扉２１の上で一旦保持される。排出扉２１は回転軸２２により回転自在に支持されており、さらに突起部２３を一体的に備えてカプセル２を排出する排出手段２４を構成している。後述する払出扉２６が開口されたときにカプセル２を落下させて排出することができる。
【００３０】
カプセル払出部４の下方には、カプセル保持部２０に保持されたカプセル２を受けるカプセル受け部２５とこのカプセル２を外部へ取出すための払出扉２６及び払出扉２６に設けた取手２７からなるカプセル払出手段２８を配設している。カプセル払出手段２８は回転軸２９を更に備え、回転軸２９を中心にして筐体７に回転自在に取付けられており、利用者が排出扉２６の取手２７を手前に引くことにより、カプセル保持部２０から排出されたカプセル２を外部へ取出すことができる。
【００３１】
さらに、排出手段２４とカプセル払出手段２８とはワイヤー３０により連結された連動機構を備えている。ワイヤー３０は回転支持部３１により移動可能に支持されている。利用者は払出扉２６を開口することにより、ワイヤー３１に張力が付与され、排出扉２１を下方に開放し、カプセル保持部２０に保持されたカプセル２をカプセル受け部２５に投入し、利用者は目的のカプセル２を外部へ取出すことを可能とする。利用者が取手２７を開口すると払出扉２６は閉じ、ワイヤー３０の張力が開放される。排出扉２１は、回転軸２２に設けた図示しないバネにより時計回りに回転付勢されて上方に持ち上げられ、閉じる。従って、カプセル保持部２０において次に選択されるカップセル２の保持が可能となる。
【００３２】
さらに、カプセル払出手段２８のカプセル受け部２５は、カプセル２の払出動作規制手段３２（図示しない）及び払出動作が行われたことを検知するための払出動作検知手段３３（図示しない）を備えている。払出動作規制手段３２は後述する払出制御手段４０（図示しない）からの制御信号により払出扉２６の開口動作を禁止する。また、払出動作検知手段３３は払出扉２６の開口動作が行われたことを払出制御手段４０に対して通知する。
このように、本実施形態に係るカプセル払出装置１では、選択されたカプセル２が回転盤１７の回転によりカプセル保持部２０へ移動する。利用者は透視可能な窓部１１を通してカプセル２に内包した商品１３を視認し、その商品の入手を希望する場合には払出扉２６を開口する。カプセル払出手段２８と排出扉２１とは連動機構であるワイヤー３０により連動動作を行い、カプセル２はカプセル保持部２０からカプセル受け部２５へ排出され、利用者が受け取ることがでる。
【００３３】
なお、上記実施の形態においては、連動機構としてカプセル受け部２５と排出扉２１とがワイヤー３０により連動しているが、これを、排出扉２１の排出動作を電動機構により行い、払出動作検知手段３３により払出扉２６が開口動作を行ったことを検知して、排出扉２１を電気的に下方へ開口するようにしてもよい。
【００３４】
また、上記実施の形態においては、利用者が払出扉２６の取手２７を引いてカプセル払出手段２８から目的のカプセルを取出したが、これを、カプセル払出手段２８の開口動作を電動的に行うようにし、利用者はカプセル保持部２０に保持されたカプセル２に内包した商品１３を窓部１１により視認して、スイッチを押すことにより電気的にカプセル払出手段２８の払出扉２６を開口して、カプセル２を取出すようにすることができる。
【００３５】
次に、カプセル２をカプセル払出手段２８へ払出す動作について、図５の機能ブロック図及び図６のフローチャートを参照して説明する。
まず、カプセル払出装置１に電源が投入されるとＣＰＵ４１の制御動作が開始され、価値投入口である硬貨投入口８へ所定価値であるコインが、例えば２枚投入されたかどうかを硬貨投入検知手段３４により検知するまで待ち状態となる（ステップＳ１）。
【００３６】
硬貨投入検知手段３４により所定価値であるコイン２枚が硬貨投入口８に投入されると、ＣＰＵ４１は、所定価値の投入を認識し、コインの投入規制手段である硬貨投入規制手段３５に対して硬貨投入口８への更なる硬貨の投入を禁止して規制する禁止信号を送信して硬貨投入規制処理を行う（ステップＳ２）。こうすることにより、利用者がコインを誤投入することを防止することができる。
【００３７】
次に、利用者によるハンドル９の操作を可能とするために、ＣＰＵ４１はハンドル操作規制手段３６に対してハンドル規制手段解除処理を行う（ステップＳ３）。これにより、利用者はハンドル９の操作が可能となり、貫通口１９に選択されたカプセル２を回転盤１７の回転とともにカプセル保持部２０に移動することができる。
【００３８】
ＣＰＵ４１は、貫通口１９がカプセル保持部２０に達したことを保持部検知手段３７からの信号により検知し（ステップＳ４）、利用者によるハンドル８の操作を制限して禁止するハンドル規制処理を行う（ステップＳ５）。次にＣＰＵ４１は、カプセル払出手段２８の払出扉２６の開口動作を規制する払出動作規制手段３２に対して信号を送信して払出動作規制解除処理を行い（ステップＳ６）、更に、硬貨投入口８から追加価値であるコインを投入可能とする追加硬貨投入規制解除の信号を送信し、利用者がコインを追加投入することができるようにする（ステップＳ７）。
【００３９】
次に、利用者は窓部１１を通してカプセル保持部２０に保持されたカプセル２に内包された商品１３を視認する。利用者は、そのカプセル２に内包された商品１３の入手を希望する場合にはカプセル払出手段２８の払出扉２６の取手２７を引いて開口動作を行うことができる（ステップＳ８）。これに伴い、ワイヤー３０が引き付けられて突起部２３に引張り張力が働き、カプセル保持部２０の排出扉２１が下方へ開いてカプセル２の排出処理がなされる（ステップＳ９）。
【００４０】
この結果、カプセル払出手段２８のカプセル受け部２５にカプセル２が投入され、利用者はカプセル２を外部へ取出すことが可能となる。その後、ＣＰＵ４１は硬貨投入規制手段３５に信号を送信し、硬貨投入口８からコインが誤投入されないように硬貨投入規制処理を行い（ステップＳ１２）、さらにカプセル払出手段２８の払出扉２６の開口動作を規制する払出動作規制手段３２に対して信号を送信して払出動作規制処理を行い（ステップＳ１３）、カプセル払出装置１は最初のスタート状態に戻る。
【００４１】
一方、利用者が窓部１１を通してカプセル保持部２０のカプセル２に内包された商品１３を視認し、すでに入手した商品である、あるいは希望しない商品であると判断した場合には、商品１３を受け取らないで再度商品を選択することができる機会を得ることができる。
具体的には、利用者は硬貨投入口８に追加コインを、例えば１枚投入する（ステップＳ９）。そうすると、ＣＰＵ４１は、硬貨投入検知手段３４により追加硬貨が投入されたことを検知して、ハンドル操作規制手段３６に対して信号を送信してハンドル操作規制解除処理を行い（ステップＳ１０）、硬貨投入口８に設けた投入規制手段である硬貨投入規制手段３５に対して硬貨投入規制処理を行って更なるコインの誤投入を防止し（ステップＳ１２）、更に払出動作規制手段３２に対して払出動作規制処理を行って払出扉２６の開口動作を禁止する規制を行い（ステップＳ１３）、利用者は改めてカプセル２を選択することができる機会が与えられる。スタート時の所定硬貨投入をコイン２枚と設定し、追加硬貨投入をコイン１枚に設定すれば、利用者はコイン３枚で新たなカプセル２を選択することができる。すなわち、最初からの投入価値よりも少ない価値を投入することにより他の商品を選択する機会が与えられ、利用者の負担を軽減してその要求を満足させることができ、さらに購買意欲を駆り立てることができる。
【００４２】
上記本発明の実施の形態においては、初期の所定硬貨投入と、利用者がカプセル２に内包された商品１３を視認後に追加硬貨投入とを、共通の硬貨投入口８に投入する例を説明したが、これを、初期の所定硬貨投入用の価値投入口である第一価値投入口と追加硬貨投入用の価値投入口である第二価値投入口２とに分離することができる。更に、第一価値投入口にはコイン等の価値の投入を制限する第一投入制限手段を、また、第二価値投入口には第二投入制限手段を設けている。
【００４３】
図６のフローチャートにおいて、ステップＳ１における所定価値投入は第一価値投入口に投入し、第二価値投入口は硬貨投入を第二投入制限手段によって硬貨投入を禁止する硬貨投入規制処理を行う。
【００４４】
第一価値投入口へ所定価値の投入がなされると、第一価値投入口は硬貨投入規制処理がなされて第一投入規制手段により硬貨投入が禁止され、第二価値投入口も同様に硬貨投入規制処理が持続している（ステップＳ２）。その後、ハンドル規制手段解除処理がなされて利用者がハンドル９の操作を行うことができ（ステップＳ３）、利用者がハンドル９を操作してカプセル２をカプセル保持部２０へカプセルを移動させると、保持部検知手段３７により貫通口１９が検知されてハンドル操作規制手段３３のハンドル操作がハンドル規制処理により操作が禁止され（ステップＳ５）、払出動作規制解除処理（ステップＳ６４）と第二価値投入口への追加硬貨投入規制解除処理（ステップＳ７）が実行される。
【００４５】
利用者は、カプセル保持部２０に移動保持されたカプセル２が内包する商品１３を視認し、そのカプセル２の商品を入手したい場合には、払出扉２６の取手２７を引くことにより（ステップＳ８）、連動機構であるワイヤー３０によりカプセル保持部２０に保持されたカプセル２が排出扉２１の下方へ開放されてカプセル受け部２５に投入され、目的のカプセル２を外部に取出すことが可能となる（ステップＳ９）。
【００４６】
利用者が当該カプセル２の入手を希望しない場合には、第二価値投入口に追加硬貨投入を行うことにより（ステップＳ１０）、次のカプセルを選択することができる機会が与えられる。この場合において、第一価値投入口は第一投入制限手段により価値投入禁止の状態が維持されている。従って、誤って最初の所定硬貨の投入が禁止されるので、利用者の不要な負担を防止することができる。
【００４７】
その後は、第二価値投入口からの硬貨投入規制処理によりコインの投入が禁止され（ステップＳ１２）、払出動作規制処理がなされて（ステップＳ１３）、最初の状態に戻る。
このように初期の硬貨投入口と追加硬貨投入口とを分離することにより、利用者は少ない負担で商品の選択できることを容易に知ることができるとともに、装置の操作が容易になるという利便性がある。
【図面の簡単な説明】
【００４８】
【図１】本実施の形態に係るカプセル払出装置を示す概観斜視図である。
【図２】商品を内包したカプセルを示す説明図である。
【図３】カプセル払出部の一部を示す部分斜視図である。
【図４】排出手段とカプセル払出手段を示す部分断面図である。
【図５】払出制御手段を示す機能ブロック図である。
【図６】払出制御手段においてＣＰＵが行う制御を示すフローチャートである。
【符号の説明】
【００４９】
１  カプセル払出装置
２  カプセル
２a  半球体
２b  半球体
２c  テープ
３  カプセル収納部
４  カプセル払出部
５  ケース
６  蓋体
７  筐体
８  硬貨投入口
９  ハンドル
１１  窓部
１２  購入スイッチ
１３  商品
１５  硬貨返却ボタン
１６  硬貨返却口
１７  回転盤
１８  回転軸
１９  貫通孔
２０  カプセル保持部
２１  排出扉
２２  回転軸
２３  突起部
２４  排出手段
２５  カプセル受け部
２６  払出扉
２７  取手
２８  カプセル払出手段
２９  回転軸
３０  ワイヤー
３１  回転支持部
３２  払出動作規制手段
３３  払出動作検知手段
３４  硬貨投入検知手段
３５  硬貨投入規制手段
３６  ハンドル操作規制手段
３７  保持部検知手段
４０  払出制御手段
４１  ＣＰＵ
【図１】
2007025856.tif 000003
【図２】
2007025856.tif 000004
【図３】
2007025856.tif 000005
【図４】
2007025856.tif 000006
【図５】
2007025856.tif 000007
【図６】
2007025856.tif 000008